(57)【特許請求の範囲】
【請求項１】
上向き先端（3a）を含む前方部（３）と、末端部（5a）を含む後方部（５）と、その間を構成する主要部とからなるアルペン・ペア・スキーであって、その主要部は、スキーに荷重を加えることによりスキーの反りが実質的にゼロに減少する底面となる平坦な第１のスライド面（２）を、上記前方部（３）と後方部（５）との間に有し、該主要部の両側面（6a,b）には該主要部から前方部（３）への移行を形づける第１の移行ラインＡ−A'と、主要部から後方部（５）への移行を形づける第２の移行ラインＥ−E'との間にて内側に凹む連続的な凹面サイドカットが形成され；
該第１のスライド面（２）の左右両側には、該第１のスライド面（２）の縁部からスキーの側面に向けてアップリフト（Hs）を以って斜め上方に延びた付加的スライド面（４）が少なくとも部分的に形成され、該付加的スライド面（４）がスキーの長手方向に沿って少なくとも第１、第２の移行ラインＡ−A',E−E'からバインデングが取着される部分である横断ラインＣ−C'に向けてそれぞれ延びており、このラインＣ−C'の幅が第１、第２の移行ラインＡ−A',E−E'間の主要部の最小幅に等しく、上記付加的スライド面（４）は移行ラインＡ−A',E−E'間の主要部の長さの少なくとも20％の長さで主要部の両側にて延び、移行ラインＡ−A'からラインＣ−C'に向う主要部における上記付加的スライド面（４）の長さは少なくとも20cmであり、上記付加的スライド面（４）の下方エッジ部のアップリフト（Hs）が第１、第２の移行ラインＡ−A',E−E'の方向においてスキーの幅が増大するにつれて実質的に増大していることを特徴とするアルペン・ペア・スキー。
【請求項２】
上記付加的スライド面（４）が、適宜、第１のスライド面（２）と共に第１の移行ラインＡ−A'を超えて前方部（３）に延び、中央長手軸Ｙに垂直な横断ラインＦ−F'で終わり、該ラインＦ−F'が前方部（３）のスライド面（2,4）から先端部（3a）への移行の境界線を画成し、上記凹面サイドカットの曲線がラインＡ−A'で転換点を有し、上記主要部の凹面サイドカットから前方部（３）の凸面サイドカットへの連続的移行を与え、ラインＡ−A'とラインＦ−F'との間の前方部（３）において上記アップリフトがいかなる点においても移行ラインＡ−A'でのアップリフトと少なくとも同じ大きさである請求項１記載のアルペン・ペア・スキー。
【請求項３】
上記付加的スライド面（４）が、適宜、第１のスライド面（２）と共に第２の移行ラインＥ−E'を超えて後方部（５）に延び、中央長手軸Ｙに垂直な横断ラインＧ−G'で終わり、該ラインＧ−G'が後方部（５）のスライド面（2,4）から末端部（5a）への移行の境界線を画成し、上記凹面サイドカットの曲線がラインＥ−E'で転換点を有し、主要部の凹面サイドカットから後方部（５）の凸面サイドカットへの連続的移行を与え、移行ラインＥ−E'と横断ラインＧ−G'との間の後方部（５）において下方側方エッジ部（7a,b）のアップリフトがいかなる点においても移行ラインＥ−E'でのアップリフトと少なくとも同じ大きさである請求項１記載のアルペン・ペア・スキー。
【請求項４】
スキーが中央長手軸Ｙを軸として対称をなし、移行ラインＡ−A'およびＥ−E'並びに横断ラインＦ−F'、Ｇ−G'およびＣ−C'が全て中央長手軸Ｙに対し垂直である請求項１ないし３のいずれかに記載のアルペン・ペア・スキー。
【請求項５】
スキーが中央長手軸Ｙを軸として非対称をなしている請求項１ないし３のいずれかに記載のアルペン・ペア・スキー。
【請求項６】
側面（6a,b）の各サイドカットが同一でなく、移行ラインＡ−A'、Ｅ−E'間の曲率半径が下方側方エッジ（7a,b）の任意の点において他方の下方側方エッジ（7a,b）の対応する任意の点における曲率半径と異なり、その任意の点が中央長手軸Ｙと直交する線上にある請求項１記載のアルペン・ペア・スキー。
【請求項７】
移行ラインＡ−A'、Ｅ−E'が中央長手軸Ｙに対し垂直である請求項６記載のアルペン・ペア・スキー。
【請求項８】
移行ラインＡ−A'、Ｅ−E'が互いに平行でない請求項６記載のアルペン・ペア・スキー。
【請求項９】
横断ラインＣ−C'における第１のスライド面（２）の幅は横断ラインＣ−C'におけるスキーの幅と等しく、横断ラインＣ−C'における下方側方エッジ（7a,b）のアップリフトがゼロである請求項１記載のアルペン・ペア・スキー。
【請求項１０】
第１のスライド面（２）は横断ラインＣ−C'の両側の底面において、さらに、横断ラインＣ−C'から移行ラインＡ−A'までの間の第２の横断ラインＢ−B'と、横断ラインＣ−C'から移行ラインＥ−E'までの間の第３の横断ラインＤ−D'との間において、下方側方エッジ（7a,b）にまで延び、横断ラインＢ−B'と横断ラインＤ−D'との間の下方側方エッジ（7a,b）ではアップリフトがゼロである請求項１記載のアルペン・ペア・スキー。
【発明の詳細な説明】
本発明は、上向き先端を含む前方部と、末端を含む後方部と、底面を有する主要部とからなるアルペン・ペア・スキーであって、その主要部は、スキーに荷重を加えてスキーの反りが実質的にゼロに減少となる底面に基づいて、スキーの長手方向軸Ｙの両側にて少なくとも上記前方部と後方部にそれぞれ延びた平坦な第１のスライド面を有し、スキーの側面には主要部から前方部への移行を形づける第１の移行ラインＡ−Ａ´と、主要部から後方部への移行を形づける第２の移行ラインＢ−Ｂ´との間にほぼ連続的な凹面カットが形成され、第１の移行ラインＡ−Ａ´と第２の移行ラインＢ−Ｂ´との間に下方側方エッジ部がその間の任意の点において曲率半径が80m以下の曲線に近いことを特徴とするアルペン・ペア・スキーに関する。
ノルウェー特許公報No.172,170には、最大20cm長の前方部の側面の下方エッジがスライド面との関係で急激に上向きになり、かつスキーの長手方向軸との関係で外側に広がり、主要部と先端部との間の移行部では、主要部と前方部との間の移行部よりも15ないし70％大きく、主要部と先端部との間の移行部での側面下方エッジは主要部の大部分のスライド面上の垂直距離に位置し、この垂直距離は前方部と主要部との間の移行から主要部と先端部との間の移行部への幅の増大の少なくとも10％以上となっている。
この公知のスキーの目的は、運動エネルギーの損失をできるだけ少なくしてターンすることを可能とするものである。なぜならば、スキーは雪面中に深くカットすることがなくなり、スキッド（横滑り）したときも良好なグリップが保てるからである。
アルペンスキーの多くの分野での最近の進展に伴い、スピードの加速だけでなく、ターン技術への要求が高まりつつある。一般に、アルペンスキーの多くの分野において、より極限に近いものが求められ、そのためスキーのデザインについての要求も厳しくなりつつある。上記の公知のスキーでは20cm長の前方部の極端な外側カーブが採用され、他のスキーの外側カーブとの釣合いが保てなくなっている。この極端な外側カーブは高速走行の間での不安定につながり、振動を生じさせる原因となる。さらにこの公知のスキーはきれいなカットエッジに欠け、このことはスキーの前方部が描く雪上の曲線がスキーの後方部により利用されないことを意味している。
したがって、本発明の目的は、上述の従来のアルペンスキーの上記問題を解消し、エッジング、雪の吹上げを生じさせることなく、高速でも、しっかりしたターンを行うことが可能なスキーを提供することである。
すなわち、本願発明のアルペンスキー・ペアは、第１のスライド面の両側の底面に付加的スライド面が形成され、この付加的スライド面第１のスライド面からスキーの下方側方エッジに上向きに延びてアップリフト（隆起部）が形成され、その下方側方エッジからの値は、この点から上記底面への垂直な長さによって与えられ、上記付加的スライド面はスキーの長手方向に沿って少なくとも第１、第２の移行ラインＡ−Ａ´、Ｅ−Ｅ´からスキー中央の後側で、バインデングが取着される部分の中央長手軸Ｙに垂直な横断ラインＣ−Ｃ´に向けてそれぞれ延びており、このラインＣ−Ｃ´のスキーの幅が第１、第２の移行ラインＡ−Ａ´、Ｅ−Ｅ´間の主要部の最小幅に等しく、上記付加的スライド面は移行ラインＡ−Ａ´、Ｅ−Ｅ´間の主要部の長さの少なくとも20％の長さで主要部の両側に延び、移行ラインＡ−Ａ´からラインＣ−Ｃ´に向かう主要部における上記付加的スライド面の長さは少なくとも20cmであり、上記付加的スライド面の下方側方エッジのアップリフトは第１、第２の移行ラインＡ−Ａ´、Ｅ−Ｅ´の方向においてスキーの幅が増大するにつれて実質的に増大し、その結果、ラインＡ−Ａ´でのアップリフトは第１、第２の移行ラインＡ−Ａ´、Ｅ−Ｅ´間の第１のスライド面の長さの1/2,000であることを特徴とする。
本発明のアルペンスキー・ペアの更なる特徴、利点は請求の範囲に記載した通りである。
以下、本発明を図示の実施例を参照して説明する。
図１は本発明のアルペン・ペア・スキーを概略的に示す平面図。
図2a−ｃは図１のｘ−ｘ´線に沿う断面図。
図３および４は本発明のスキーの底面の異なる例を示す平面図。
図5a−ｃは図１、３および４のスキーの側面をそれぞれ示す図。
図６ないし図８は本発明のスキーの底面のさらに別の例を示す平面図。
本発明に係わる図示の実施例のアルペンスキーはすべて対称形のものである。しかし、本発明に係わるアルペンスキーは非対称形のものであってもよい。なお、以下の実施例では図１〜８に示すように中央長手軸に対し対称となっている。
図１は本発明のアルペン・ペア・スキーを概略的に示すものであって、スキー１は中央長手軸Ｙに垂直な垂直な移行ラインＡ−Ａ´、Ｅ−Ｅ´間に位置する底面を有する主要部を有する。この移行ラインＡ−Ａ´はスキー１の前方部３への移行を指すものであり、移行ラインＥ−Ｅ´はスキー１の短いやや上向きの後方部５への移行を指すものである。移行ラインＡ−Ａ´、Ｅ−Ｅ´間の主要部の底面は第１のスライド面２を有する。通常、全てのスキーは長手方向の反りを有し、荷重が付加されていないときは、上向きの曲面を形成している。所定の荷重が付加されたとき、すなわち、スキーヤーの体重がスキーに加えられたときは、その反りは実質的にゼロになり、スキーは平面的に置かれることになる。以下の説明では、これをスライド面２と定義する。このスライド面２はスキーの中央長手軸Ｙに対し実質的に対称的に延びている。このスライド面２の両側には付加的スライド面4a,b,c,dが形成され、第１のスライド面２とスキーの側面6a,bとの間にて延びており、これら側面6a,bは図１のｘ−ｘ´線に沿う図2a,b,cに示すように、下方側方エッジ7a,bの底面と合致している。図１において、ラインＡ−Ａ´と横断ラインＢ−Ｂ´との間の第１のスライド面２は中央長手軸Ｙとほぼ平行な側方エッジにより制限され、ラインＥ−Ｅ´と付加的横断ラインＤ−Ｄ´との間の部分も対応して形状となっている。ラインＢ−Ｂ´とラインＤ−Ｄ´との間の部分においては、第１のスライド面２は側面6a,bの下方側方エッジ7a,bと合致するまでいっぱいに延びている。したがって、付加的スライド面4a,b,c,dはラインＡ−Ａ´と横断ラインＢ−Ｂ´との間の底面の下方側方エッジ7a,bと合致するまで、あるいはラインＥ−Ｅ´と付加的横断ラインＤ−Ｄ´との間の底面の下方側方エッジ7a,bと合致するまで延びている。ラインＡ−Ａ´と横断ラインＢ−Ｂ´との間ならびにラインＥ−Ｅ´と付加的横断ラインＤ−Ｄ´との間の合計長さはラインＡ−Ａ´とラインＥ−Ｅ´との間の長さの少なくとも20％、好ましくは50％以上とする。具体的な長さはスキーの所望とする性能に応じて決定される。
公知のように、ラインＡ−Ａ´とラインＥ−Ｅ´との間のスキーの側面は中央長手軸Ｙの方向に向けて凹面サイドカットが施されている。これによりラインＡ−Ａ´とラインＥ−Ｅ´との間のスキーの部分にインデント（ぎざぎざ）が形成されている。ラインＡ−Ａ´とラインＥ−Ｅ´との間に位置する横断ラインＣ−Ｃ´はバインデングが配置されるスキーのほぼ中央あるいは若干後部に位置している。この横断ラインＣ−Ｃ´はスキーの中央長手軸Ｙに対し垂直となっており、中央長手軸Ｙに対し直交する横断軸Ｘを表している。したがって、Ｘ、Ｙ面は同時に第１のスライド面を規定している。横断ラインＣ−Ｃ´は延長部を有するとしても、それはラインＡ−Ａ´とラインＥ−Ｅ´との間の最小幅に等しい。
図１に示すように、移行ラインＡ−Ａ´はスキーの上向き先端3aを含む前方部３への移行を記すものである。サイドカットの曲面はラインＡ−Ａ´で転移点を有する。しかし、スキーの幅は先端3aへの移行を示す横断ラインＦ−Ｆ´に向けて増大し、通常、スキーの最大幅を形成している。サイドカットについてのパラメータにもよるが、ラインＡ−Ａ´とラインＦ−Ｆ´との間の距離は非常に小さく、通常２ないし5cmである。
同様に、移行ラインＥ−Ｅ´はスキーの後方部５への移行を記すものであり、サイドカットの曲面はラインＥ−Ｅ´で転移点を有する。横断ラインＧ−Ｇ´はスキーの通常、上向き末端部5aへの移行を記している。
ラインＡ−Ａ´とラインＥ−Ｅ´との間の側面6a、6bのサイドカットあるいは外向き曲面は連続的曲線にほぼ従っており、中央長手軸Ｙの各側面において合同の円あるいは楕円からなる孤形を形成している。合同円の場合、横断ラインＣ−Ｃ´は円の半径の延長部と、ラインＡ−Ａ´とラインＥ−Ｅ´との間の下方側方エッジ7a,bを形成している。同様に、横断ラインＣ−Ｃ´は楕円の短軸の延長部と、下方側方エッジ7a,bとであってもよい。この楕円弧は各側面においてラインＣ−Ｃ´と下方側方エッジ7a,bとの交点にて延びている。
なお、側面6a、6bのサイドカットは完全な円弧、楕円弧から若干ずれたものでもよく、例えばより大きくても、小さくてもよい。しかし、このずれは下方側方エッジ7a,bの側面6aあるいは6bの２点を中央長手軸Ｙの長さで測定して20cmとしたとき、その中点から両端に向かう円弧の半径が80mを超えないものとする。もし、このラインＡ−Ａ´とラインＥ−Ｅ´との間の側面6aあるいは6bのサイドカットが上述のような円弧として規定されたとき、その円の半径は下方側方エッジ7a,bの任意の点を中点として描かれる仮想の円からプラス・マイナス20％以上ずれてはならない。同様に、もし、このラインＡ−Ａ´とラインＥ−Ｅ´との間の側面6aあるいは6bのサイドカットが上述のような楕円弧として規定されたとき、その楕円の半径は下方側方エッジ7a,bの任意の点を中点として描かれる仮想の円からプラス・マイナス20％以上ずれてはならない。
したがって、ラインＡ−Ａ´とラインＥ−Ｅ´との間のサイドカットの程度はラインＢ−Ｂ´よりもラインＡ−Ａ´に近い位置で円あるいは楕円からずれるようにすることもできる。理論的には、側面6a、6bのサイドカットを短い直線面で構成することもできる。その場合、下方側方エッジ7a,bも多角形の辺として現れる。この多角形の辺も、もちろんそれが円弧、楕円弧その他の曲線の場合であったとしても、ほぼ連続的な曲線に近いものである。
最後に、側面6a、6bは相互に曲線的にずれたもの、例えば楕円、円などにより曲線的にずれたものとすることもできる。この場合、スキーは中央長手軸Ｙに対し若干、非対称となる。これについては図示しないが、後に説明する。
第１のスライド面２から下方側方エッジ7a,bに向かって延びた付加的スライド面4a,b,c,dは、そこに上向きの曲面、あるいはアップリフトHSが形成されている（図2a−ｃ参照）。すなわち、図2a−ｃあるいは図5a−ｃに示すように下方側方エッジ7a,bは第１のスライド面２より高さHSで示す距離だけ上に位置している。したがって、付加的スライド面4a,b,c,dは第１のスライド面２から下方側方エッジ7a,bに向けて上向きの曲線を以て延びている。この付加的スライド面4a,b,c,dは図2aに示すような直線的斜面あるいは反りであってもよいし、図2bに示すような凹面であってもよいし、図2cに示すような第１のスライド面２に向かう凸面であってもよい。
なお、この付加的スライド面の好ましい面としては図2aに示すような直線的斜面である。この直線的斜面はスキーに最良の特徴を与える。さらに、これらを２以上組合せてもよい。例えば直線的斜面が下方側方エッジ7a,bの近くで凹面に変わってもよい。
さらに、アップリフトHSがスキーの幅の増大の応じて大きくなっていてもよい。すなわち、ラインＡ−Ａ´とラインＥ−Ｅ´にそれぞれ向けてスキーの幅を大きくすると共に側面のサイドカットを大きくし、下方側方エッジ7a,bでのアップリフトHSを増大させる。言い換えれば、図１に示すようにアップリフトをラインＢ−Ｂ´でゼロにし、ラインＡ−Ａ´に向けて大きくし、ラインＡ−Ａ´でのアップリフト曲線がラインＡ−Ａ´とラインＥ−Ｅ´との間の距離の1/2,000以上となるようにする。第１のスライド面２のエッジにおいて、すなわち第１のスライド面２と付加的スライド面4a,b,c,dとの間の移行を規定する線あるいは曲線において、アップリフトは当然ゼロである。しかし、この付加的スライド面が下方側方エッジ7a,bに向かって上向きの曲線を描き、同時にこの上向きの曲線がラインＡ−Ａ´とラインＥ−Ｅ´とに向かってそれぞれ増大する。すなわち、この付加的スライド面の第１のスライド面２に対する位置がスキーの幅の増大と共に実質的に高くなる。
第１のスライド面２および付加的スライド面4a,b,c,dは共に、少なくとも移行ラインＡ−Ａ´およびラインＥ−Ｅ´にまで延び、さらに適宜、図２、３、４に示すように前方部３および後方部５まで延び、ラインＦ−Ｆ´およびラインＧ−Ｇ´で終わるようにしてもよい。この場合、移行ラインＡ−Ａ´とラインＦ−Ｆ´との間の下方側方エッジ7a,bのアップリフトはラインＡ−Ａ´におけるアップリフトと少なくとも同程度に大きくすべきである。同様に、ラインＥ−Ｅ´とラインＧ−Ｇ´との間の下方側方エッジ7a,bのアップリフトHSはラインＥ−Ｅ´におけるアップリフトと少なくとも同程度に大きくすべきである。
図１において、第１のスライド面２はラインＢ−Ｂ´とラインＤ−Ｄ´との間の部分の下方側方エッジにまで延び、ここの部分においてはアップリフトはない。言い換えれば、付加的スライド面4a,b,c,dのアップリフトはラインＢ−Ｂ´およびラインＤ−Ｄ´においてそれぞれゼロとなる。
下方側方エッジ7a,bの任意の点において規定されるアップリフトは好ましくはＣ−Ｃ´間におけるスキーの幅の増大と、スキーの面あるいは底面に垂直な中央長手軸Ｙのほぼ直線的関数として与えられる。つまり、アップリフトは以下の式で与えられる。
HS＝K1＋K2ΔＸ＋Ｍ（ｙ）
ここで、HSは上向き曲線をmm単位で表したもの、K1およびK2は定数、ΔＸは幅の増大分、Ｍ（ｙ）は距離の関数、つまりラインＣ−Ｃ´と上記垂直位置との間の長さの関数であり、関数値、|M（ｙ）｜は1mm未満である。
このスキーの計算において、座標軸は以下のように配置されるべきである。つまり、Ｙ軸は図１に説明したようにし、ラインＣ−Ｃ´を直交するＸ軸とする。X,Y面は第１のスライド面を構成する。幅の増大、すなわち、下方側面6a、6bのサイドカットの計算のベースとして、合同円弧、楕円弧を上述のように使用することができ、したがって幅の増大はスキーの長さΔＹの増大に対応する値ΔＸとして容易に計算することができる。
この記載の補助として、表１ないし５に本発明の対称的アルペン・ペア・スキーの計算の数値例が記載されている。これはラインＣ−Ｃ´でのスキーの幅、ラインＣ−Ｃ´とラインＡ−Ａ´との間およびラインＣ−Ｃ´とラインＥ−Ｅ´との間のそれぞれの長さについて選択されたパラメータをベースとして表したものである。側面のサイドカットは円の半径、楕円の主軸、短軸を選択することにより規定されたものである。
図３はスキー１の第２の具体例を示すもので、図１の例と比較してスライド面２が中央長手軸Ｙと平行なラインＡ−Ａ´とラインＥ−Ｅ´と間の直線で規制されている異なる。付加的スライド面4e,fは下方側面6a、6bと第１のスライド面２との間で、ラインＡ−Ａ´とラインＥ−Ｅ´と間あるいは所望によりラインＦ−Ｆ´とラインＧ−Ｇ´と間の全長に亘って形成されている。下方側方エッジ7a,bもラインＡ−Ａ´とラインＥ−Ｅ´と間の全長に亘って形成され、これによりアップリフトが形成されている。この場合も、スキーの幅がラインＡ−Ａ´およびラインＥ−Ｅ´方向に向けて増大するにつれアップリフトも増大し、いずれもＣ−Ｃ´での側方エッジにおいて最小値をとっている。同時に、Ｃ−Ｃ´でのアップリフトは余り大きくすべきでなく、さもなければ中間部でのエッジのグリップが不適当となり、従って、最大2mm、好ましくは1mmを超えないことである。
図４は下方スライド面が依然として平行な直線で規制されているが、Ｃ−Ｃ´の近傍で第１のスライド面２が下方側方エッジに向けて外側に移動しラインＣ−Ｃ´と下方側方エッジ7a,bとの間の交点で接触している。この場合、アップリフトはラインＣ−Ｃ´で実質的にゼロとなるが、ラインＣ−Ｃ´からラインＡ−Ａ´およびラインＥ−Ｅ´方向に向けて幅の増大と共に再び増大する。すなわち、ラインＡ−Ａ´およびラインＥ−Ｅ´方向に向けて側方エッジが外側にカーブしている。
図5aないし5cは図１、３、４に示すスキーの側面図を表している。長手方向に向けてのアップリフトHSの程度が説明され、スキーの側面６における下方側方エッジ７の線で示されている。図5aにおいて、ラインＢ−Ｂ´およびラインＤ−Ｄ´の間に位置するスキーの部分にはアップリフトはない。しかし、図5bにおいては側方エッジがアップリフトHSを有し、ラインＣ−Ｃ´で最小となっているが、ラインＡ−Ａ´およびラインＥ−Ｅ´方向に向けてそれぞれ増大している。最後に、図5cでは、ラインＡ−Ａ´およびラインＥ−Ｅ´からラインＣ−Ｃ´に向けてそれぞれ減少し、ラインＣ−Ｃ´が下方側方エッジ７と合致する点においてゼロとなっている。
デザインの異なる第１のスライド面２と付加的スライド面４とを有する底面の例が図６に示されている。ここで、ラインＡ−Ａ´およびラインＢ−Ｂ´の間およびラインＤ−Ｄ´およびラインＥ−Ｅ´の間の第１のスライド面２はラインＢ−Ｂ´およびラインＤ−Ｄ´の下方側方エッジ7a,bからラインＡ−Ａ´およびラインＥ−Ｅ´に向けて収束する線でそれぞれ制限されている。ラインＢ−Ｂ´およびラインＤ−Ｄ´の間の部分において、第１のスライド面は下方側方エッジ7a,bに延び、その結果、ラインＢ−Ｂ´およびラインＤ−Ｄ´の間の部分の下方側方エッジはアップリフトはゼロとなっている。
図７では、第１のスライド面２はラインＡ−Ａ´およびラインＥ−Ｅ´に向ってそれぞれ収束し、ラインＣ−Ｃ´と付加的スライド面４との交点で下方側方エッジ7a,bと接触し、ラインＣ−Ｃ´でのアップリフトはゼロとなっているが、ラインＣ−Ｃ´からラインＡ−Ａ´およびラインＥ−Ｅ´に向ってそれぞれ徐々に増大している。
図８は本発明のスキーの他の実施例を示すもので、第１のスライド面２は図４に示す例と近い輪郭を有しているが、第１のスライド面２が平行な線でなく、ラインＣ−Ｃ´からラインＡ−Ａ´およびラインＥ−Ｅ´に向ってそれぞれ収束する線でそのエッジ部が規制されている点で図４に示す例と異なる。すなわち、第１のスライド面２はラインＣ−Ｃ´で最大となっているが、その幅はラインＣ−Ｃ´でのスキーの幅よりも小さい。その結果、付加的スライド面4e,fはラインＡ−Ａ´とラインＥ−Ｅ´との間のスキーの全長に亘って第１のスライド面２の両側にそれぞれ延びている。従って、ラインＣ−Ｃ´での下方側方エッジはアップリフトがゼロでなく、ラインＣ−Ｃ´からラインＡ−Ａ´およびラインＥ−Ｅ´に向って幅は増大するにつれて、そのアップリフトも増大している。
本発明は上記実施例に限定されるものでなく、当業者であれば発明の範囲内において種々変更し得ることは明らかであろう。しかし、良好なターン特性を有し、未熟なスキーヤーでも容易に操作できるアルペン・ペア・スキーとしては、図４に示すもので、第１のスライド面２が平行な直線で部分的に規制されラインＣ−Ｃ´での下方側方エッジに延びたものが特に適している。しかし、図１、４に示す例は実質的に類似しており、ラインＣ−Ｃ´およびその近傍においてアップリフトHSは最小となっている。
上述のように、本発明のスキーは中央長手軸Ｙに対し非対称であってもよい。この非対称形は種々の方法で得られる。例えば、各下方エッジのサイドカットは非類似のものとし、移行ラインＡ−Ａ´とラインＥ−Ｅ´との間の下方側方エッジ7a,bの任意の点のおける曲率半径は、他方の下方側方エッジ7a,bの対応する任意の点であって中央長手軸Ｙに対し直交する線上にある点における曲率半径が異なるものとする。側面6a,bのサイドカットが同様のものである場合は、その側面をスキーの前方部および後方部に向けて相互に逆にしてもよい。いずれにしても、結果的に得られる移行ラインＡ−Ａ´およびラインＥ−Ｅ´は中央長手軸Ｙに対し垂直でなくなり、また、相互に平行でなくなることもある。この非対称形については当業者の間でも議論があるが、先行するスキーの内側エッジの回転半径が外側エッジの回転半径より小さくなる。表６は本発明の非対称形アルペン・ペア・スキーの数値例を示している。これらは、ラインＣ−Ｃ´とラインＡ−Ａ´との間、およびラインＣ−Ｃ´とラインＥ−Ｅ´との間のスキーの長さについて選択したパラメーターに基づいて表されている。
本発明のアルペン・ペア・スキーは公知の類似のスキーと比較して多くの利点を有する。上述のように側面のサイドカット、すなわち外側カーブは雪を吹き上げることなく、極めてシャープなターンを可能とする。側面の好ましいサイドカットが円弧あるいは楕円弧の曲率に従うものであるとすると、スキーの使用において発生する力学的条件、すなわち捩じり応力、曲げ応力を補償する目的で、この弧面からずらすことも可能である。実際に、側面のサイドカットは円弧の曲率半径より若干増大すべきであり、その曲半径をラインＡ−Ａ´までより近付けることである。これによりスキーのきれいなカッティングエッジが形成され、スキーの前方部で描かれたトラックがスキーの後方部でも追従されることになる。
スキーが完全に硬質のものである場合は、側面6a,bのサイドカットが可なり小さいものでも、すなわち、外側カーブが小さくとも、ターンするためエッジを利かせても中間部における雪面との接触が失われる。スキーの中間部の良好なエッジグリップを得るには、サイドカットおよび外側カーブが大きければ大きい程、平坦な底面を備えたスキーの柔軟性が大きいことが必要となる。また、外側カーブが大き過ぎると、実用に適しないほどの曲げ剛性の減少が求められることになる。本発明のスキーによれば、下方側方エッジにおけるアップリフトの採用により高度のサイドカット（すなわち、外側カーブ）との組合せが可能となり、適度の柔軟性を維持しつつ良好なエッジグリップを確保することができる。なぜならば、本発明のスキーの下方側方エッジにおけるアップリフトは側面のサイドカットあるいは外側カーブ全体に亘って採用されているからである。従来技術によれば、あるサイドカットはスキーの特に先端部および後方エッジの方向の曲げ剛性を減少することにより、あるいは同方向の捩じり剛性を減少することによっても補償できる考えられていた。さらに、本発明によれば、外側カーブは下方側方エッジの対応するアップリフトにより補償されている。サイドカットは可なりの利点を与えることが認められており、本発明では、さらにアップリフトの採用により、先端部および後方エッジの方向の曲げ剛性ならびに捩じり剛性を減少させることなく、大きなサイドカットを補償することができた。従って、本発明では、サイドカットに伴う側面の外側カーブによる幅の増大に対応してアップリフトの程度を増大させるもので、従って、ラインＣ−Ｃ´から先端部および後方エッジ部に向けての距離が増大するにつれてアップリフトも増大させる。しかし、本発明のスキーの場合、ラインＣ−Ｃ´に近い部分においてはサイドカットおよび外側カーブは極めて緩やかになっている。その結果、平坦なスライド面がこの部分の下方側方エッジにまで延び、横断ラインＣ−Ｃ´が第１のスライド面２に位置する場合、ラインＣ−Ｃ´の両側の底面のほとんどの部分も第１のスライド面２に位置することになり、このスライド面は両側の下方側方エッジ7a,bまで全体的に延びことになる。なお、理論的には下方側方エッジ7a,bのアップリフトはラインＣ−Ｃ´からそれぞれラインＡ−Ａ´およびラインＥ−Ｅ´に向けて幅が増大するにつれて常に増大するようにすることが理想と考えられる。
公知のように、実質的なサイドカットはスキーの前方部および後方部での過度のエッジグリップを生じさせることが知られている。これはスキーの前方部が雪中に潜り込む傾向を生じさせ、同時にスキーに振動を生じさせる。しかし、従来は良好なエッジグリップの願望から側方エッジにアップリフトを考えを放棄させ、同時にサイドカットを余り大きくしない選択が採られていた。本発明においては、大きすぎたり小さ過ぎたりしないエッジグリップを生じさせるスキーが提供される。なぜならば、下方側方エッジのアップリフトは外側カーブの増大に伴って増大するようになっているからである。その結果、スキーは可なりのサイドカットでも良好な形状を維持し、同時に曲げ剛性ならびに捩じり剛性を減少させる必要もなくなる。それ故、本発明のスキーは通常僅かなサイドカットを形成したスキーと同様の良好な力学的特性を維持することができる。
スキーがカーブした側面6a,bを有する場合、ラインＡ−Ａ´とラインＥ−Ｅ´との間の第１のスライド面２を、またはラインＡ−Ａ´およびラインＥ−Ｅ´からラインＣ−Ｃ´に向けて第１のスライド面２を中央長手軸に平行な直線で規制することが特に有利であることが示されている。ラインＣ−Ｃ´とラインＥ−Ｅ´との間の部分における外側カーブと底面全体に亘る平坦なスライド面との組合せはラインＣ−Ｃ´とラインＥ−Ｅ´との間の幅の増大のため、より大きい滑り抵抗を生じさせる。従って、本発明のスキーにおいて第１のスライド面２の幅がサイドカットとは独立して形成されているから、直線で滑る場合に有利となる。
或る条件の雪において、第１のスライド面２が全底面との関連で制限を受けているという事実は良好な滑走を生じさせる。本発明のスキーにおいて下方側方エッジ7a,bにアップリフトが与えられているため、平坦スライド面が制限される。これも直線で滑る場合に有利なファクターとなる。
従来のサイドカットが大きく、平坦なスライド面を有するスキーは高速で滑っているスキーヤーにとって、特に平坦面を滑っていてエッジが捕まり易い場合に、極めて危険である。これは1994年のGarmisch−Partenkirchenでのアルペンスキーの事故で証明されている。しかし、本発明のスキーによりこの問題を著しく解消することができる。なぜならば、側方エッジには調和したアップリフトが外側カーブとの関連で形成されているからである。例えば、平坦な底面のスキーの場合、左ターンから右ターン（または逆）へ移行するとき、グリップはほとんど瞬間的に左から右のエッジに変化する。しかし、本発明のスキーによれば左のグリップは徐々に減少し、右のエッジグリップは後に徐々に増大する。
実施例
表１−６は本発明のアルペンスキーのペアの数値的計算の例を示している。
表１に示す第１の例では、スキーは2050mmの長さと、Ｃ−Ｃ´における最小幅f55mmを有している。側方エッジの外側カーブはそれぞれ円および楕円により計算され、各例のスキーの幅の値は50mm間隔で先端から後端まで150mmの距離に亘って特定した。幅の増大の関数としてのアップリフトは表の３−５欄に記載し、第３欄には幅の増大と直線的に増大するアップリフトが、第４欄には幅の増大と非直線的に増大するアップリフトが、第５欄には幅の増大と直線的に増大するが修正ファクターを加えたアップリフトがそれぞれ示されている。
実施例２では、スキーは1900mmの長さと、最小幅60mmを有している。表２の計算結果は表１のものと同様にして示されている。
実施例３では、スキーは2100mmの長さを有し、外側カーブを特にＡ−Ａ´で顕著にしたものが示されている。表３の計算結果は表１のものと同様にして示されている。
実施例４では、スキーは2090mmの長さを有し、比較的小さなアップリフトが形成されている。表４の計算結果は表１のものと同様にして示されている。表４のスキーは高速で滑る場合、あるいはほぼ直線的に滑る場合に適している。これは特に第５欄で示したアップリフトの値の場合である。なぜならば、この場合、僅かなアップリフトが第１のスライド面２の制限と組合わされているからである。
実施例５では、スキーは2010mmの長さを有し、実施例４のものより極端となっているがアップリフトは緩やかになっている。表５の計算結果は表１のものと同様にして示されている。
実施例６では、スキーは2020mmの長さを有するものが用いられている。計算結果は表６に記載されているが、第２欄、第６欄には、中央長手軸Ｙの各サイドのスキーの半幅が示されている。対応するアップリフトは第３欄、第５欄にそれぞれ示されている。非対称は各側面の曲率半径を異なるものから選び生じさせた。
上記記載および実施例から明らかなように、本発明の範囲において種々変更することが可能であり、目的、使用条件に合わせて最良の形態のものを選択することができよう。
0003653636.tif 000002
0003653636.tif 000003
0003653636.tif 000004
0003653636.tif 000005
0003653636.tif 000006
0003653636.tif 000007
0003653636.tif 000008
0003653636.tif 000009
0003653636.tif 000010
0003653636.tif 000011
0003653636.tif 000012
0003653636.tif 000013
0003653636.tif 000014
0003653636.tif 000015
0003653636.tif 000016
0003653636.tif 000017
0003653636.tif 000018
0003653636.tif 000019
【図１】
0003653636.tif 000020
【図５ａ】
0003653636.tif 000021
【図２ａ】
0003653636.tif 000022
【図２ｂ】
0003653636.tif 000023
【図２ｃ】
0003653636.tif 000024
【図５ｂ】
0003653636.tif 000025
【図３】
0003653636.tif 000026
【図５ｃ】
0003653636.tif 000027
【図４】
0003653636.tif 000028
【図６】
0003653636.tif 000029
【図７】
0003653636.tif 000030
【図８】
0003653636.tif 000031